(57)【要約】【課題】  ２枚のシート基材が互いに接着されることにより構成され、袋部とラベル部とが互いに連接してなる袋体において、袋部とラベル部とを切り離した際に切り離し部の端面がべたついてしまうことを防ぐ。【解決手段】  袋部１０とラベル部２０を構成するベース基材１及びフィルム基材２のうち、袋部１０とラベル部２０とを切り離し可能とするためのミシン目３が形成された領域には粘着剤３を塗布しない。【選択図】図１
2006151467.tif 000002
【特許請求の範囲】
【請求項１】
第１及び第２のシート基材が粘着剤によって互いに接着され、その一部に開口部が形成された袋部と、
前記第１及び第２のシート基材が切り離し線を介して前記袋部から延設して形成され、前記第１のシート基材と前記粘着剤とによって構成されるラベルが前記第２のシート基材から剥離可能に区画形成されたラベル部とを有し、
前記第１及び第２のシートは、前記切り離し線が形成された領域に前記粘着剤が塗布されていない袋体。
【請求項２】
請求項１に記載の袋体において、
前記開口部は、前記第１及び第２のシート基材のいずれか一方に形成されたスリットからなり、
前記スリットが形成されたシート基材は、前記スリットが形成された領域の外側に剥離剤を介して前記粘着剤が塗布されているとともに当該領域が前記スリットによって他の領域から切り離し可能に形成されていることを特徴とする袋体。
【発明の詳細な説明】
【技術分野】
【０００１】
本発明は、２枚のシート基材の一部が互いに接着されることにより袋部が形成される袋体に関し、特に、接着された２枚のシートが剥離されることにより形成されるラベルが付設された袋体に関する。
【背景技術】
【０００２】
一般に、病院や医院等の医療機関において怪我や病気等の診察や治療が行われる際、その診療や治療を受ける患者に対して、怪我や病気に応じた薬が投与される。このような薬の投与は正確に行う必要があるため、例えば、患者の氏名等が記載されたアンプル袋にその患者に投与される薬が収容され、医師がアンプル袋から薬を取り出し、患者に投与することになる。
【０００３】
ところが、医師がアンプル袋から薬を取り出した後、その薬がどのアンプル袋から取り出したのかわからなくなってしまった場合、患者に対して誤った薬を投与してしまう虞れがある。
【０００４】
ここで、処方箋とラベル部とが連接してなる処方箋用紙が考えられている（例えば、特許文献１参照。）。この処方箋用紙は、その全面が接着剤によって互いに接着された表層紙とセパレータ紙とからなる基材において、ミシン目を介して処方箋とラベル部とが連接しており、ラベル部のラベルとなる部分のみが、接着剤とセパレータ紙との間に剥離剤が塗布されて構成されている。このように構成された処方箋用紙においては、処方箋に患者の氏名や投薬日、処方された薬の種類等を記入しておくとともに、ラベル部に区画形成されたラベルのそれぞれにも患者の氏名や投薬日、処方された薬の種類等を記入しておき、処方箋に記入された薬が処方された際に、ラベル部からラベルを剥離し、このラベルを処方された薬に貼付すれば、処方箋と薬とのマッチングミスを防止することができる。そして、ラベル部から必要なラベルが剥離された後、ミシン目によって処方箋とラベル部とが切り離されることになる。
【０００５】
そこで、この処方箋用紙の処方箋となる部分にて袋部を形成し、この袋部を上述したようなアンプル袋として用い、アンプル袋に収容する薬に患者の氏名等が記載されたラベルを貼付すれば、医師がアンプル袋から薬を取り出した後、その薬がどのアンプル袋から取り出したのかわからなくなってしまうことがなくなる。
【特許文献１】特開２００１−３２２３７３号公報
【発明の開示】
【発明が解決しようとする課題】
【０００６】
しかしながら、上述した特許文献１に記載された処方箋用紙をアンプル袋のような袋体として利用した場合、袋部とラベル部とをミシン目によって切り離した際、袋部及びラベル部を構成する２枚のシート基材を接着するための粘着剤が、袋部とラベル部との切り離し部の端面からはみ出てしまい、特に粘着力が強い粘着剤を用いた場合、切り離し部の端面がべたついてしまうという問題点がある。
【０００７】
本発明は、上述したような従来の技術が有する問題点に鑑みてなされたものであって、２枚のシート基材が互いに接着されることにより構成され、袋部とラベル部とが互いに連接してなる袋体において、袋部とラベル部とを切り離した際に切り離し部の端面がべたついてしまうことがない袋体を提供することを目的とする。
【課題を解決するための手段】
【０００８】
上記目的を達成するために本発明は、
第１及び第２のシート基材が粘着剤によって互いに接着され、その一部に開口部が形成された袋部と、
前記第１及び第２のシート基材が切り離し線を介して前記袋部から延設して形成され、前記第１のシート基材と前記粘着剤とによって構成されるラベルが前記第２のシート基材から剥離可能に区画形成されたラベル部とを有し、
前記第１及び第２のシートは、前記切り離し線が形成された領域に前記粘着剤が塗布されていない。
【０００９】
また、前記開口部は、前記第１及び第２のシート基材のいずれか一方に形成されたスリットからなり、
前記スリットが形成されたシート基材は、前記スリットが形成された領域の外側に剥離剤を介して前記粘着剤が塗布されているとともに当該領域が前記スリットによって他の領域から切り離し可能に形成されていることを特徴とする。
【００１０】
上記のように構成された本発明においては、第１及び第２のシート基材が粘着剤によって互いに接着され、その一部に開口部が形成された袋部内に収容される物品に、第１及び第２のシート基材が切り離し線を介して袋部から延設して形成されたラベル部からラベルを剥離してこのラベルを貼付した後、袋部とラベル部とを切り離し線によって切り離した場合、袋部及びラベル部を構成する第１及び第２のシートの切り離し線が形成された領域には粘着剤が塗布されていないので、切り離し部の端面がべたついてしまうことはない。
【発明の効果】
【００１１】
以上説明したように本発明においては、２枚のシート基材が互いに接着されることにより構成され、袋部とラベル部とが互いに連接してなる袋体において、袋部及びラベル部を構成する第１及び第２のシートの切り離し線が形成された領域には粘着剤が塗布されていない構成としたため、袋部とラベル部とを切り離した際に、切り離し部の端面がべたついてしまうことはない。
【００１２】
また、開口部が、第１及び第２のシート基材のいずれか一方に形成されたスリットからなり、スリットが形成されたシート基材が、スリットが形成された領域の外側に剥離剤を介して粘着剤が塗布されているとともにその領域がスリットによって他の領域から切り離し可能に形成されているものにおいては、袋部に物品を収容した後、スリットが形成されたシート基材のスリットから外側をスリットによって切り離して他方のシート基材から剥離すれば、他方のシート基材のうち、切り離されたシート基材に対向する領域をフラップ部として袋部を封緘することができる。
【発明を実施するための最良の形態】
【００１３】
以下に、本発明の実施の形態について図面を参照して説明する。
【００１４】
（第１の実施の形態）
図１は、本発明の袋体の第１の実施の形態を示す図であり、（ａ）は表面から見た図、（ｂ）は（ａ）に示したＡ−Ａ’断面図である。
【００１５】
本形態は図１に示すように、袋形状を有する袋部１０と、ラベル２１ａ〜２１ｃが区画形成されたラベル部２０とが切り離し線であるミシン目３０を介して切り離し可能に連接されて構成されている。袋部１０は、紙等からなる第１のシート基材であるベース基材１と、透明フィルムからなる第２のシート基材であるフィルム基材２とが３周縁にて粘着剤３によって互いに接着され、残りの１縁が開口部１１となり、これにより、袋形状が形成されている。また、ラベル部２０は、ベース基材１及びフィルム基材２がミシン目３０を介して袋部１０から延設して形成され、ベース基材１とフィルム基材２とが粘着剤３によって互いに接着されており、このフィルム基材２には、フィルム基材２と粘着剤３とによって構成されるラベル２１ａ〜２１ｃが、フィルム基材２に形成されたスリット２２ａ〜２２ｃ及びベース基材１のラベル２１ａ〜２１ｃと対向する領域に塗布されたシリコン等からなる剥離剤４によって剥離可能に区画形成されている。そして、ベース基材１とフィルム基材２のうち、ミシン目３０が形成された領域には粘着剤３が塗布されていない。
【００１６】
また、袋部１０及びラベル部２０には、それぞれ決められた情報１２，２３が印字されており、それにより、フィルム基材２上に印字層５ｂ，５ｃが形成されている。これらの情報は、感熱、熱転写、インクジェット、電子写真式等の非衝撃印字方式によって印字されており、そのため、フィルム基材２は、これらの方式によって印字が可能な可撓性を有する樹脂素材等から構成されている。印字層５ｂ，５ｃを構成する情報１２，２３としては、例えば、この袋体を、病院や医院等の医療機関において怪我や病気等の診察や治療を行うために患者に投与される薬を収容するアンプル袋として利用する場合、患者の氏名や疾患名、収容された薬品名等が考えられ、また、患者を識別可能なバーコード情報等の機械読み取り可能な情報を情報１２，２３にそれぞれ含ませて印字しておけば、袋部１０あるいはラベル２１ａ〜２１ｃに印字された情報を読み取るだけで、ラベル２１ａ〜２１ｃがラベル部２０から剥離されて薬品に貼付された場合に、薬品とアンプル袋とのマッチングをとることができる。またその場合、患者を識別可能なバーコード情報が印字されたラベルを、入院患者のベッドに貼付しておけば、薬品とその薬品が投与される患者のベッドとが対応づけられることになる。また、このアンプル袋に情報１２，２３を印字する際に、情報１２，２３を印字するプリンタに接続されたコンピュータ等の端末に、アンプル袋の発行者や薬剤師等の管理者の氏名を入力し、情報１２，２３の一部として印字することも考えられる。また、この管理者を識別可能なバーコード情報等の機械読み取り可能な情報を情報１２，２３にそれぞれ含ませて印字することも考えられる。その場合、さらに、薬を投与する際、ラベル部２０に印字されている情報２３を読み取るとともに、薬を投与して医師や看護士の情報を読み取った情報２３と対応づけて管理しておくことにより、アンプル袋発行者、アンプル投与者、患者及び投与日時等の一連の情報を管理することができるようになる。また、ベース基材１にも、決められた情報（不図示）が印字されており、それにより、印字層５ａが形成されている。
【００１７】
以下に、上記のように構成された袋体の使用方法について、袋体を病院や医院等の医療機関において怪我や病気等の診察や治療を行うために患者に投与される薬を収容するアンプル袋として利用する場合における使用方法を例に挙げて説明する。
【００１８】
図２は、図１に示した袋体の使用方法を説明するための図である。
【００１９】
図１に示した袋体を、病院や医院等の医療機関において怪我や病気等の診察や治療を行うために患者に投与される薬を収容するアンプル袋として利用する場合は、まず、ラベル部２０に区画形成されたラベル２１ａ〜２１ｃを剥離剤４を介してラベル部２０から剥離して薬品６に貼付し、開口部１１から袋部１０内に収容する（図２（ａ））。これにより、袋部１０内に収容される薬品６には、その薬品を投与する患者の氏名や疾患名等が視認可能に付与されることになる。
【００２０】
その後、袋部１０に収容される薬品の全てにラベル２１ａ〜２１ｃが貼付された後、袋部１０とラベル部２０とをミシン目３０を介して切り離す（図２（ｂ））。この際、ベース基材１とフィルム基材２のうち、ミシン目３０が形成された領域には粘着剤３が塗布されていないため、袋部１０とラベル部２０との切り離し部の端面がべたついてしまうことはない。
【００２１】
なお、本形態においては、ベース基材１とフィルム基材２とが３周縁にて粘着剤３によって互いに接着され、残りの１縁が開口部１１となり、これにより、袋形状が形成されているが、ベース基材１とフィルム基材２とを４周縁にて粘着剤３によって互いに接着し、その４周縁に囲まれる領域にてベース基材１あるいはフィルム基材２に切り込みを入れることによって開口部１１を形成することも考えられる。
【００２２】
（第２の実施の形態）
図３は、本発明の袋体の第２の実施の形態を示す図であり、（ａ）は表面から見た図、（ｂ）は（ａ）に示したＡ−Ａ’断面図、（ｃ）は（ａ）に示したＢ−Ｂ’断面図、（ｄ）は裏面から見た図である。
【００２３】
本形態は図３に示すように、袋形状を有する袋部１１０と、ラベル１２１ａ〜１２１ｃが区画形成されたラベル部１２０とが切り離し線であるミシン目１３０を介して切り離し可能に連接されて構成されている。袋部１１０は、紙等からなる第１のシート基材であるベース基材１０１と、透明フィルムからなる第２のシート基材であるフィルム基材１０２とが３周縁にて粘着剤１０３によって互いに接着され、残りの１縁に沿うようにベース基材１０１に開口部となるスリット１１１が形成されており、このスリット１１１と粘着剤１０３によって接着された３周縁とによって袋形状が形成されている。さらに、ベース基材１０１は、スリット１１１が形成された領域の外側にシリコン等からなる剥離剤１０４ａを介して粘着剤１０３が塗布されているとともに、その領域がスリット１１１によって他の領域から切り離し可能に形成されており、この領域は、剥離剤１０４ａと粘着剤１０３とによってベース基材１０１とフィルム基材１０２とが剥離可能に接着されている。また、ラベル部１２０は、ベース基材１０１及びフィルム基材１０２がミシン目１３０を介して袋部１１０から延設して形成され、ベース基材１０１とフィルム基材１０２とが粘着剤１０３によって互いに接着されており、このフィルム基材１０２には、フィルム基材１０２と粘着剤１０３とによって構成されるラベル１２１ａ〜１２１ｃが、フィルム基材１０２に形成されたスリット１２２ａ〜１２２ｃ及びベース基材１０１のラベル１２１ａ〜１２１ｃと対向する領域に塗布されたシリコン等からなる剥離剤１０４ｂによって剥離可能に区画形成されている。そして、ベース基材１０１とフィルム基材１０２のうち、ミシン目１３０が形成された領域には粘着剤１０３が塗布されていない。
【００２４】
また、袋部１１０及びラベル部１２０には、第１の実施の形態に示したものと同様に、それぞれ決められた情報１１２，１２３が印字されており、それにより、フィルム基材１０２上に印字層１０５ｂ，１０５ｃが形成されている。また、ベース基材１０１にも、決められた情報１１３，１２４が印字されており、それにより、印字層１０５ａが形成されている。
【００２５】
以下に、上記のように構成された袋体の使用方法について、袋体を病院や医院等の医療機関において怪我や病気等の診察や治療を行うために患者に投与される薬を収容するアンプル袋として利用する場合における使用方法を例に挙げて説明する。
【００２６】
図４は、図３に示した袋体の使用方法を説明するための図である。
【００２７】
図３に示した袋体を、病院や医院等の医療機関において怪我や病気等の診察や治療を行うために患者に投与される薬を収容するアンプル袋として利用する場合は、まず、ラベル部１２０に区画形成されたラベル１２１ａ〜１２１ｃを剥離剤１０４ｂを介してラベル部１２０から剥離して薬品６に貼付し、スリット１１１から袋部１１０内に収容する（図４（ａ））。これにより、袋部１１０内に収容される薬品６には、その薬品を投与する患者の氏名や疾患名等が視認可能に付与されることになる。
【００２８】
次に、袋部１１０に収容される薬品の全てにラベル１２１ａ〜１２１ｃが貼付された後、袋部１１０とラベル部１２０とをミシン目１３０を介して切り離す（図４（ｂ））。この際、ベース基材１０１とフィルム基材１０２のうち、ミシン目１３０が形成された領域には粘着剤１０３が塗布されていないため、袋部１１０とラベル部１２０との切り離し部の端面がべたついてしまうことはない。
【００２９】
次に、袋部１１０を構成するベース基材１０１のうち、スリット１１１の外側となる領域を剥離剤１０４ｂを介して剥離してスリット１１１によって他の領域から切り離し、それにより、フィルム基材１０２のうち、ベース基材１０１の切り離された領域と対向していた領域からフラップ部１１２を形成する。このフラップ部１１２には、ベース基材１０１とフィルム基材１０２とをスリット１１１が形成された領域の外側にて剥離可能に接着していた粘着剤１０３が付着している（図４（ｃ））。
【００３０】
その後、フィルム基材１０２によって形成されたフラップ部１１２を、粘着剤１０３が付着している領域が内側となるようにスリット１１１を介して折り畳み、粘着剤１０３によってフラップ部１１２とベース基材１０１とを接着する（図４（ｄ））。
【００３１】
これにより、薬品が収容された袋部１１０が封緘され、袋部１１０に収容された薬品がスリット１１１から外部に脱落してしまうことを防止することができる。なお、フィルム基材１０２のうち、フラップ部１１２が折り畳まれた際に粘着剤１０３に対向する領域に剥離力が強い剥離剤を塗布しておけば、フラップ部１１２を再剥離、再貼着可能な構成とすることができる。
【００３２】
本形態における袋体を製造する場合は、ベース基材１０１上に剥離剤１０４ａ，１０４ｂを塗布し、その上に粘着剤１０３を塗布し、その後、粘着剤１０３によってベース基材１０１とフィルム基材１０２とを接着することになる。そのため、ラベル部１２０にてラベル１２１ａ〜１２１ｃを剥離可能に接着するための剥離剤１０４ｂ及び粘着剤１０３と、袋部１１０を封緘するフラップ部１１２を形成するための剥離剤１０４ａ及び粘着剤１０３とを同一工程にてベース基材１０１に塗布することができ、それにより、別工程を設けることなく、袋部１１０を封緘するための構成を実現することができる。
【００３３】
また、上述した２つの実施の形態においては、ラベル部２０，１２０において、フィルム基材２，１０２にスリット２２ａ〜２２ｃ，１２２ａ〜１２２ｃによってラベル２１ａ〜２１ｃ，１２１ａ〜１２１ｃが区画形成されているが、ベース基材１，１０１に同様にスリットを形成し、ラベルを区画形成することも考えられる。ただしその場合は、ベース基材１，１０１側ではなく、フィルム基材２，１０２のラベルと対向する領域に剥離剤を塗布しておく必要がある。
【図面の簡単な説明】
【００３４】
【図１】本発明の袋体の第１の実施の形態を示す図であり、（ａ）は表面から見た図、（ｂ）は（ａ）に示したＡ−Ａ’断面図である。
【図２】図１に示した袋体の使用方法を説明するための図である。
【図３】本発明の袋体の第２の実施の形態を示す図であり、（ａ）は表面から見た図、（ｂ）は（ａ）に示したＡ−Ａ’断面図、（ｃ）は（ａ）に示したＢ−Ｂ’断面図、（ｄ）は裏面から見た図である。
【図４】図３に示した袋体の使用方法を説明するための図である。
【符号の説明】
【００３５】
１，１０１    ベース基材
２，１０２    フィルム基材
３，１０３    粘着剤
４，１０４ａ，１０４ｂ    剥離剤
５ａ〜５ｃ，１０５ａ〜１０５ｃ    印字層
６    薬品
１０，１１０    袋部
１１    開口部
１２，２３，１１２，１１３，１２３，１２４    情報
２０，１２０    ラベル部
２１ａ〜２１ｃ，１２１ａ〜１２１ｃ    ラベル
２２ａ〜２２ｃ，１１１，１２２ａ〜１２２ｃ    スリット
１１２    フラップ部
【図１】
2006151467.tif 000003
【図２】
2006151467.tif 000004
【図３】
2006151467.tif 000005
【図４】
2006151467.tif 000006